(57)【要約】      （修正有）【課題】キッチン扉に引っ掛けることができ、ごみ収集具の素材を改善し毎日溜まる食品販売店の食品ポリ袋の処分・再利用を考慮したキッチンごみ収納具を提供する。【解決手段】コップ型ごみ受容器とごみ受容器収納ホルダ−本体とからなる野菜ごみ収納具であって、全てパルプ仕様であり、収納ホルダー本体は、背面に設けたコの字型の扉固定支持傾斜加工部と、前面に設けた正方傾斜形状のボックスとからなり、ホルダ−本体にごみ受容器を挿入し、本体の扉固定支持傾斜加工部をキッチン扉に差込み固定可能とした。量販店の食品ポリ袋３〜４枚重ねて前記ごみ受容器に挿入して使用してもよい。また、ホルダー本体は再生ダンボ−ル２枚重ねを圧縮・成型・接着して表面に耐水加工を施したものとしてもよい。【選択図】図１
0003220564.tif 000002
【実用新案登録請求の範囲】
【請求項１】
本考案はコップ型ごみ受容器とそれを収納するホルダーの２種類で構成され、ホルダーをキッチン扉に接合するタイプのキッチンごみ収納具。
【請求項２】
食品販売店の食品ポリ袋（２００×３００）を３〜４枚程度重ね、コップ型ごみ受容器に挿入、底部の穴から５ｃｍ程度引出し、容器のポリ袋を１枚ずつ外側に折り下げた後、ホルダーに戻す。ごみ受容器内に適度にごみが溜まったら随時引上げて、ポリ袋口を結びごみ箱に捨てる方法のキッチンごみ収納具。
【請求項３】
考案の構成素材は従来の金属、石油製品ではなく、全て再生ダンボール２枚重ねを成型・圧縮・接着して表面に耐水加工を施した自然にやさしく、又可燃物対応のキッチンごみ収集具。
【考案の詳細な説明】
【技術分野】
【０００１】本考案はキッチンで発生する肉・野菜ごみ（軟質）をこまめに片付け・処理することに適したキッチンごみ収集具に関する。
【背景技術】
【０００２】従来のキッチンごみ収集具は金属・プラスチック製品で構成されていることで、不法投棄等により海洋汚染が社会問題となっている。
【先行技術文献】
【特許文献】
【０００３】
【特許文献１】実登３２０１２０４
【考案の概要】
【考案が解決しようとする課題】
【０００４】毎日溜まる食品ポリ袋の処分とキッチンで発生する肉・野菜ごみの処理を自然還元可能で可燃物となる素材にすること。
【課題を解決するための手段】
【０００５】食品ポリ袋（２００×３００）の処理は考案のコップ型ごみ受容器（市販のカップラーメン大盛タイプ）内に３〜４枚（１セット）を挿入。キッチンで発生する肉・野菜ごみを容器内のポリ袋に投入する。容器内のごみ量を確認してポリ袋１枚分を取出して口綴じ後、ごみ箱に投棄することで処分する。収集具の素材全てを再生ダンボールで構成することで廃棄処分は環境にやさしい自然還元が可能。また可燃物として処理できる。
【考案の効果】
【０００６】本考案のキッチンごみ収集具は食品ポリ袋の処分とキッチンで発生する肉・野菜ごみをこまめな処理が可能となり、キッチン廻りの美化と衛生管理に貢献できる。
【図面の簡単な説明】
【０００７】
【図１】  本考案のキッチンごみ収集具の実施例を示す正面図である。
【図２】  本考案のキッチンごみ収集具の実施例を示す背面図である。
【図３】  本考案のキッチンごみ収集具の実施例を示す平面図である。
【図４】  本考案のキッチンごみ収集具の実施例を示す底面図である。
【図５】  本考案のキッチンごみ収集具の実施例を示す左側面図である。
【図６】  本考案のキッチンごみ収集具の実施例を示す右側面図である。
【図７】  本考案のキッチンごみ収集具の実施例を示す断面図である。
【図８】  本考案のキッチンごみ収集具の実施例を示す図面符号である。
【図９】  ごみ受容器
【図１０】  ホルダー俯瞰図
【図１１】  キッチンごみ受容器実施例
【考案を実施するための形態】
【０００８】キッチン扉に本考案のごみ収集具背面の折り返し部分を差込み固定する。コップ型ごみ受容器（市販のカップラーメン大盛タイプ）にポリ袋３〜４枚重ね（３〜４セット）を挿入、底穴より５ｃｍ程度引出し、セット分のポリ袋を１枚ずつ外側に折り返し、ホルダー内に戻す。ごみ処理で内部のポリ袋が無くなったら前出の作業を繰り返す。補足：予備のポリ袋３〜４枚重ねの単品を別途、準備しまとめておく。
【実施例】
【０００９】「図１１」キッチンごみ収集具俯瞰図
【符号の説明】
【００１０】１  ごみ受容器（市販のカップラーメン大盛タイプ）
２  ごみ受容器底穴
３  ホルダー容器
４  ごみ受容器底上げ
５  ホルダー容器再生ダンボール曲げ加工
６  ホルダー背面再生ダンボール２枚重ねを成型・圧縮接着
７  設置扉スペース
８  扉固定支持傾斜加工部
【図１】
0003220564.tif 000003
【図２】
0003220564.tif 000004
【図３】
0003220564.tif 000005
【図４】
0003220564.tif 000006
【図５】
0003220564.tif 000007
【図６】
0003220564.tif 000008
【図７】
0003220564.tif 000009
【図８】
0003220564.tif 000010
【図９】
0003220564.tif 000011
【図１０】
0003220564.tif 000012
【図１１】
0003220564.tif 000013
【手続補正書】
【提出日】平成30年9月27日(2018.9.27)
【手続補正１】
【補正対象書類名】実用新案登録請求の範囲
【補正対象項目名】全文
【補正方法】変更
【補正の内容】
【実用新案登録請求の範囲】
【請求項１】
考案の野菜ごみ収集具は紙コップ型ごみ受容器・収納ホルダーの２種１組で構成された燃えるゴミ・自然風化できる素材のキッチン扉に接合する地球にやさしい野菜ごみ収集具。
【請求項２】
考案の紙コップ型ごみ受容器は量販店・スーパーのポリ袋３〜４枚重ねをしぼり詰込み、紙コップの底穴から５ｃｍ程度引き抜いたら内側のポリ袋から順次紙コップの外側に折り下げ、収納ホルダーに収めたら野菜ごみを投入するキッチン扉に接合する地球にやさしい野菜ごみ収集具。
【請求項３】
考案の収納ホルダーは再生紙を圧縮・成型・接着（図１１）で製作し収集具が不要になった場合は可燃物となるが万が一投棄された場合は水溶性で自然風化が可能のキッチン扉に接合する地球にやさしい野菜ごみ収集具。
【手続補正２】
【補正対象書類名】明細書
【補正対象項目名】全文
【補正方法】変更
【補正の内容】
【考案の詳細な説明】
【技術分野】
【０００１】キッチンで発生する野菜ごみをこまめに片付け・処理することを目的としたキッチン扉に接合する地球にやさしい野菜ごみ収集具に関する。
【背景技術】
【０００２】従来のキッチンごみ集収具は金属・石油製品で構成されているので不要となった場合、不法投棄等により海洋汚染等の社会問題が発生しているが本考案でわずかでも解消に貢献できるキッチン扉に接合する地球にやさしい野菜ごみ収集具。
【先行技術文献】
【特許文献】
【０００３】
【特許文献１】実登３２０１２０４
【考案の概要】
【考案が解決しようとする課題】
【０００４】毎日溜まる食品ポリ袋（２００×３００）の処分とキッチンで発生する野菜ごみの処理を効率よく同時に対処すること。
【課題を解決するための手段】
【０００５】食品ポリ袋は野菜ごみ収納用として再利用するが、野菜ごみは紙コップ型ごみ受容器一杯分の少量処分となるので処分効率が良く野菜ごみ回収も同時に解決できる。
【考案の効果】
【０００６】食品ポリ袋の処理とキッチンで発生する野菜ごみのこまめな処理が可能となることでキッチン廻りの美化と衛生上の管理に貢献できる。
【図面の簡単な説明】
【０００７】
【図１】キッチン扉に接合する地球にやさしい野菜ごみ収集具の正面図。
【図２】キッチン扉に接合する地球にやさしい野菜ごみ収集具の背面図。
【図３】キッチン扉に接合する地球にやさしい野菜ごみ収集具の平面図。
【図４】キッチン扉に接合する地球にやさしい野菜ごみ収集具の底面図。
【図５】キッチン扉に接合する地球にやさしい野菜ごみ収集具の左側面図。
【図６】キッチン扉に接合する地球にやさしい野菜ごみ収集具の断面図。
【図７】キッチン扉に接合する地球にやさしい野菜ごみ収集具の図面符号。
【図８】キッチン扉に接合する地球にやさしい野菜ごみ受容器。
【図９】キッチン扉に接合する地球にやさしい野菜ごみ受容器実施例。
【図１０】キッチン扉に接合する地球にやさしい野菜ごみ受容器ホルダ−俯瞰図。
【図１１】キッチン扉に接合する地球にやさしい野菜ごみ収集具の俯瞰図
【考案を実施するための形態】
【０００８】キッチン扉に考案の地球にやさしい野菜ごみ収集具背面の折り返し部分を差込み設置したら紙コップ型ごみ受容器にポリ袋３〜４枚重ねを挿入し容器の底穴より５ｃｍ程度引出し、３〜４枚重ねのポリ袋を１枚づつ容器の外側に折り返し、出来上がったらごみ受容器をホルダ−に戻しごみ処理でポリ袋が無くなったら前出の作業を繰り返す（食品ポリ袋を数枚重ねは万が一穴が開いていた場合は汁もれが防げる）
補足：ごみ受容器ホルダ−を別途設置して、３〜４枚重ねのポリ袋を数セットを準備出来れば尚、可。
【実施例】
【０００９】「図１１」キッチン扉に接合する地球にやさしい野菜ごみ収集具俯瞰図
【符号の説明】
【００１０】１野菜ごみ受容器（紙製のカップラ−メン大盛タイプ）
２野菜ごみ受容器底穴（ポリ袋引抜き穴）
３野菜ごみ受容器ホルダ−
４野菜ごみ受容器底上げ（ポリ袋溜め）
５容器ホルダ−再生ダンボ−ル曲げ加工
６容器ホルダ−背面再生ダンボ−ル２枚重ねを成型・圧縮接着
７設置扉スペ−ス
８扉固定支持傾斜加工部
【手続補正書】
【提出日】平成30年12月11日(2018.12.11)
【手続補正１】
【補正対象書類名】実用新案登録請求の範囲
【補正対象項目名】全文
【補正方法】変更
【補正の内容】
【実用新案登録請求の範囲】
【請求項１】
コップ型ごみ受容器と前記ごみ受容器収納ホルダ−本体とからなる野菜ごみ収集具は全てパルプ仕様であり、前記収納ホルダー本体は、背面に設けたコの字型の扉固定支持傾斜加工部と、前面に設けた正方傾斜形状のボックスとからなり、前記ホルダ−本体に前記ごみ受容器を挿入し、本体の扉固定支持傾斜加工部をキッチン扉に差込み固定可能にすることを特徴とする野菜ごみ収納具。
【請求項２】
量販店の食品ポリ袋３〜４枚重ねて前記ごみ受容器に挿入し、ごみ受容器の底部に設けられた穴から、前記食品ポリ袋の一部を５ｃｍ程度引出し、食品ポリ袋の口元を一枚ずつ外側に折り下げた、請求項１に記載の野菜ごみ収集具。
【請求項３】
前記ホルダー本体は再生ダンボ−ル２枚重ねを圧縮・成型・接着して表面に耐水加工を施したものである、請求項１または２に記載の野菜ごみ収集具。
【手続補正２】
【補正対象書類名】明細書
【補正対象項目名】全文
【補正方法】変更
【補正の内容】
【考案の詳細な説明】
【技術分野】
【０００１】キッチンで発生する野菜ごみをこまめに片付け・処理することを目的としたキッチン扉に接合する野菜ごみ収集具に関する。
【背景技術】
【０００２】従来のキッチンごみ集収具は主として石油製品で構成されているので不要となった場合、不法投棄等により海洋汚染等の社会問題が発生しているが、野菜ごみ収集具は可燃物で水溶性の再生ダンボ−ルである。
【先行技術文献】
【特許文献】
【０００３】
【特許文献１】実登３２０１２０４
【考案の概要】
【考案が解決しようとする課題】
【０００４】毎日溜まる食品ポリ袋（２００×３００）の処分とキッンで発生する野菜ごみの処理とを、効率よく同時に処理すること。
【課題を解決するための手段】
【０００５】食品ポリ袋は、コップ型ごみ受容器１杯分程度の野菜ごみを回収することで野菜ごみ処理と同時に解決できる。
【考案の効果】
【０００６】キッチンで発生する野菜ごみと食品ポリ袋の処理が可能となることでキッチン廻りの美化と衛生上の管理に貢献できる。
【図面の簡単な説明】
【０００７】
【図１】キッチン扉に接合する野菜ごみ収集具の正面図。
【図２】キッチン扉に接合する野菜ごみ収集具の背面図。
【図３】キッチン扉に接合する野菜ごみ収集具の平面図。
【図４】キッチン扉に接合する野菜ごみ収集具の底面図。
【図５】キッチン扉に接合する野菜ごみ収集具の左側面図。
【図６】キッチン扉に接合する野菜ごみ収集具の断面図。
【図７】キッチン扉に接合する野菜ごみ収集具の図面符号。
【図８】キッチン扉に接合する野菜ごみ受容器。
【図９】キッチン扉に接合する野菜ごみ受容器実施例。
【図１０】キッチン扉に接合する野菜ごみ受容器ホルダ−俯瞰図。
【図１１】キッチン扉に接合する野菜ごみ収集具の俯瞰図
【考案を実施するための形態】
【０００８】キッチン扉に前出の野菜ごみ収集具背面のコの字型の扉固定支持傾斜加工部を差込み設置したら、コップ型ごみ受容器に食品ポリ袋３〜４枚重ねを挿入し、ごみ受容器の底部に設けられた穴より５ｃｍ程度引出し、３〜４枚重ねのポリ袋を１枚づつ容器の外側に折り下げ、出来上がったらごみ受容器をホルダ−本体に挿入する、野菜ごみ処理でポリ袋が無くなったら、前出の作業を繰り返す（食品ポリ袋を数枚重ねは万が一穴が開いていた場合は液もれが防げる）補足：ごみ受容器ホルダ−を別途設置して、３〜４枚重ねのポリ袋を数セットを準備出来れば尚、可。
【実施例】
【０００９】「図１１」キッチン扉に接合する野菜ごみ収集具俯瞰図
【符号の説明】
【００１０】１  野菜ごみ受容器（カップラ−メン大盛タイプ）
２  野菜ごみ受容器底穴（ポリ袋引出し穴）
３  野菜ごみ受容器ホルダ−
４  野菜ごみ受容器底上げ（ポリ袋溜め）
５  容器ホルダ−再生ダンボ−ル曲げ加工
６  容器ホルダ−背面再生ダンボ−ル２枚重ねを成型・圧縮接着
７  扉設置スペ−ス
８  扉固定支持傾斜加工部